【手続補正書】
【提出日】平成16年6月29日(2004.6.29)
【手続補正１】
【補正対象書類名】特許請求の範囲
【補正対象項目名】全文
【補正方法】変更
【補正の内容】
【特許請求の範囲】
【請求項１】
（ａ）複数の成形物品（２０）を形成するための、複数の射出キャビティ（４２）を有したモールドキャビティプレート（３０）と、前記キャビティ（４２）内に受けられ得る対応する複数の射出コア（４０）を有したモールドコアプレート（３６）とを有する射出装置を準備する工程と、
（ｂ）閉じた位置における前記モールドプレート（３０，３６）を用い、前記モールドキャビティ（４２）内にプラスチック材料を射出して前記成形物品（２０）を形成する工程と、
（ｃ）前記成形物品（２０）を前記射出キャビティ（４２）内に保持したまま、前記モールドプレート（３０，３６）を分離させる工程と、
（ｄ）保持コア（６２）を有する持ち出しプレート（６０）を準備する工程と、
（ｅ）前記キャビティプレート（３０）と前記コアプレート（３６）との間に前記持ち出しプレート（６０）を配置する工程と、
（ｆ）前記成形物品（２０）を前記射出キャビティ（４２）から前記保持コア（６２）上へ直接移載する工程と、
（ｇ）前記保持コア（６２）上で前記成形物品（２０）を冷却する工程と、を備えた
ことを特徴とする射出成形物品（２０）の成形後冷却の方法。
【請求項２】
工程（ｇ）は、前記成形物品が前記保持コア（６２）上にある間に前記成形物品（２０）に対して冷却流体を送ることによる、前記成形物品（２０）の積極的な冷却を含む
ことを特徴とする請求項１に記載の方法。
【請求項３】
工程（ｇ）は、前記保持コア（６２）を介し冷却流体を送ることによって前記成形物品（２０）の内部を冷却する、前記成形物品（２０）の積極的な冷却を含む
ことを特徴とする請求項１に記載の方法。
【請求項４】
工程（ｇ）は、前記保持コア（６２）と前記成形物品（２０）との接触による、前記成形物品（２０）の冷却を含む
ことを特徴とする請求項１に記載の方法。
【請求項５】
工程（ｇ）は、前記保持コア（６２）に向けて外部から冷却流体を送る装置（７７）による、前記成形物品の冷却を含む
ことを特徴とする請求項１に記載の方法。
【請求項６】
前記成形物品（２０）は、前記キャビティプレート（３０）に関連するネックリングプレート（４４）により、前記物品（２０）を成形する間に形成されるネック領域を有し、
工程（ｆ）は、前記ネックリングプレート（４４）を前記キャビティプレート（３０）の外方に移動し、前記成形物品（２０）を前記保持コア（６２）上に配置するとともに前記成形物品（２０）を前記ネックリングプレート（４４）から解放することによって、キャビティ（４２）から冷却コア（６２）上に前記成形物品（２０）を直接移載するために、前記ネックリングプレート（４４）を用いることを含む
ことを特徴とする請求項１に記載の方法。
【請求項７】
前記成形物品の冷却中、前記保持コア（６２）上に前記成形物品（２０）を確実に保持し、その後、前記物品を前記コア（６２）から取り去るまでに前記物品（２０）を解放する工程をさらに備えた
ことを特徴とする請求項１に記載の方法。
【請求項８】
前記コア（６２）からの前記物品（２０）の取り去りは、前記コア（６２）を介して前記物品（２０）の内部に流体を送ることにより行われる
ことを特徴とする請求項７に記載の方法。
【請求項９】
前記コア（６２）に保持された前記成形物品（６２）を、前記物品をブロー成形するためのブロー成形機（９２）に関連して配置する
ことを特徴とする請求項１に記載の方法。
【請求項１０】
前記コア（６２）に保持された前記成形物品（６２）をロボットアーム（９０）によりブロー成形機（９２）に関連してさらに移載および配置する
ことを特徴とする請求項９に記載の方法。
【請求項１１】
複数の成形物品（２０）を形成するための、複数の射出キャビティ（４２）を有したモールドキャビティプレート（３０）と、前記キャビティ（４２）内に受けられ得る対応する複数の射出コア（４０）を有したモールドコアプレート（３６）とを有し、前記モールドプレート（３０，３６）が開いた位置と閉じた位置との間を移動自在である、型と、
前記複数のキャビティ（４２）に対応する複数の保持コア（６２）を有する持ち出しプレート（６０）と、
前記モールドプレート（３０，３６）が開いた位置にある場合に、前記モールドプレート間（３０，３６）に前記持ち出しプレートを配置する手段と、
前記成形物品（２０）を前記キャビティ（４２）から前記保持コア（６２）上へ直接移載する手段と、
前記成形物品（２０）を前記保持コア（６２）上で冷却する手段と、を備えた
ことを特徴とする射出成形装置。
【請求項１２】
前記冷却する手段は、前記成形物品（２０）の冷却のため、前記物品（２０）が前記保持コア（６２）上にある間に前記成形物品に（２０）対して流体を送るように構成されている
ことを特徴とする請求項１１に記載の装置。
【請求項１３】
前記冷却する手段は、冷却のために流体を前記成形物品（２０）の内部に送る内部通路を前記保持コア（６２）内に有する
ことを特徴とする請求項１１に記載の装置。
【請求項１４】
前記冷却する手段は、前記保持コア（６２）と前記成形物品（２０）との間の接触により前記成形物品（２０）を冷却するように構成されている
ことを特徴とする請求項１１に記載の装置。
【請求項１５】
前記保持コア（６２）は、前記保持コア（６２）が前記成形物品（２０）に接触することを可能にする外径を有する
ことを特徴とする請求項１４に記載の装置。
【請求項１６】
冷却する手段は外部の冷却流体装置（７７）を有する
ことを特徴とする請求項１１に記載の装置。
【請求項１７】
前記成形物品（２０）のネック領域を形成するネックリングプレート（４４）の組み立て体を、前記キャビティプレート（３０）に関連してさらに備え、
前記ネックリングプレート（４４）は、前記成形物品（２０）を前記保持コア（６２）上に移載するために前記モールドキャビティプレート（３０）から外方に移動自在であり、前記成形物品（２０）を前記保持コア（６２）上に解放するようになっている
ことを特徴とする請求項１１に記載の装置。
【請求項１８】
前記ネックリングプレート（４４）は、前記モールドキャビティプレート（３０）のキャビティ（４２）の列に揃えられた分離線（４６）上で対面する対のプレートに設けられ、
各対のネックリングプレート（４４）は、前記ネック領域を形成する閉じた位置と、前記成形物品（２０）を解放する開いた位置との間を互いに対して移動自在であり、
前記対のプレート（４４）は、前記成形物品（２０）のネック領域を形成する、前記モールドキャビティプレート（３０）に隣接した成形位置と、前記成形物品（２０）を前記保持コア（６２）上に解放する、前記ネックリングプレート（４４）が前記モールドキャビティプレート（３０）から外方に移動される位置との間を移動自在である
ことを特徴とする請求項１７に記載の装置。
【請求項１９】
冷却のために前記成形物品（２０）を前記保持コア（６２）上に保持する手段をさらに備え、
前記保持手段は、前記成形物品を前記コア（６２）から取り去るため、前記成形物品（２０）を解放するようになっている
ことを特徴とする請求項１１に記載の装置。
【請求項２０】
前記保持手段は、前記成形物品（２０）を保持コア（６２）上に引き込むための吸引手段を有する
ことを特徴とする請求項１９に記載の装置。
【請求項２１】
前記保持手段は、前記成形物品（２０）を冷却コア（６２）上に保持するために、前記持ち出しプレート（６０）に支持されたくわえアーム（６８）を有し、
前記くわえアーム（６８）は、前記成形物品を前記コア（６２）から取り去るため、前記成形物品（２０）を解放するように移動自在である
ことを特徴とする請求項１９に記載の装置。
【請求項２２】
冷却コア（６２）内の通路と、前記成形物品（２０）を前記保持コア（６２）から取り去るために前記通路に沿ったエアフローを起こす手段とを有した、前記成形物品（２０）を前記保持コア（６２）から取り去るための手段をさらに備えた
ことを特徴とする請求項１１に記載の装置。
【請求項２３】
前記成形物品（２０）を受動的に冷却するため、前記保持コア（６２）は熱伝導性の高い材料からなる
ことを特徴とする請求項１１に記載の装置。
【請求項２４】
ブロー成形機（９２）をさらに備え、
前記保持コア（６２）は前記ブロー成形機（９２）に関連して移動させられおよび配置されるように構成される
ことを特徴とする請求項１１に記載の装置。
【請求項２５】
前記ブロー成形機（９２）に関連して前記保持コア（６２）を移動させおよび配置するロボットアーム（９０）をさらに備えた
ことを特徴とする請求項２４に記載の装置。
【請求項２６】
請求項１乃至１０のいずれか一項に記載の方法における持ち出しプレート（６０）の使用であって、
成形物品（２０）を受けるために前記プレート（６０）から外方に突出した複数の保持コア（６２）を設けられた持ち出しプレート（６０）の使用。
【請求項２７】
持ち出しプレート（６０）は、冷却のために前記成形物品（２０）を前記保持コア（６２）上に保持する手段をさらに有し、
前記保持手段は、前記成形物品を冷却後に前記コア（６２）から取り去るため、前記成形物品（２０）を解放するようになっている
ことを特徴とする請求項２６に記載の持ち出しプレート（６０）の使用。
【請求項２８】
前記保持手段は、前記成形物品（２０）をコア（６２）上に引き込むための吸引手段を有する
ことを特徴とする請求項２７に記載の持ち出しプレート（６０）の使用。
【請求項２９】
前記保持手段は、前記成形物品（２０）をコア（６２）上に保持するために前記持ち出しプレート（６０）に支持されたくわえアーム（６８）を有し、
前記くわえアーム（６８）は、前記成形物品を前記コア（６２）から取り去るため、前記成形物品（２０）を解放するように移動自在である
ことを特徴とする請求項２７に記載の持ち出しプレート（６０）の使用。
【請求項３０】
持ち出しプレート（６０）は、前記成形物品（２０）の内部に向けてエアフローを起こして前記物品を前記保持コア（６２）から取り去るため、前記保持コア（６２）内にエア通路を有した、前記成形物品（２０）を前記保持コアから取り去るための手段をさらに有する
ことを特徴とする請求項２７に記載の持ち出しプレート（６０）の使用。
【請求項３１】
請求項１に記載の方法に用いられる複数のキャビティ（４２）を有するモールドキャビティプレート（３０）であって、
前記成形物品（２０）のネック領域を形成する複数のネックリングプレート（４４）と組み合わせられ、
前記ネックリングプレート（４４）は、前記成形物品（２０）を冷却コア（６２）上に移載するために前記モールドキャビティプレート（３０）の外方へ移動自在であり、前記コア（６２）上に前記成形物品（２０）を解放することができる
ことを特徴とするモールドキャビティプレート（３０）。
【請求項３２】
射出ユニットと、
クランプユニットと、
モールドキャビティプレート（３０）と、
モールドコアプレート（３６）と、
保持コア（６２）を有し、前記モールドキャビティプレート（３０）と前記モールドコアプレート（３６）との間に移動自在であり、成形物品（２０）を前記モールドキャビティプレート（３０）から直接受ける持ち出しプレート（６０）と、
前記成形物品（２０）を前記保持コア（６２）上で冷却する手段と、を備えた
ことを特徴とする射出成形装置。